(57)【特許請求の範囲】
【請求項１】
透明なプラスチック樹脂などで形成した中空状球体内にその内部直径よりも短くされた軸棒を有し、該軸棒を中心とする回転動作しても球体内部に接触しない大きさに規制された立体的アクセサリー部材を該軸棒に取付けて、該軸棒の固定穴を形成していない中空状球体内に封入していることを特徴とする透明中空状球体内で回転動作するアクセサリー部材。
【請求項２】
立体的アクセサリー部材を封入した透明中空状球体自体に軸棒を取付けて別の透明中空状球体内で回転動作する立体的アクセサリー部材としていることを特徴とする請求項１に記載の透明中空状球体内で回転動作するアクセサリー部材。
【請求項３】
中空状球体が２分割されることで封入された立体的アクセサリー部材を取出すことができ、さらに中空状に形成した該立体的アクセサリー部材も２分割可能とすることで内部に他の物品を収容できるようにしたことを特徴とする請求項１または請求項２に記載の透明中空状球体内で回転動作するアクセサリー部材。
【請求項４】
透明中空状球体内で回転動作するアクセサリー部材の１個または複数個を連結手段や鎖でつなぎ合わせることでキーホルダーや携帯電話用ストラップ、ネックレスなどの物品を構成させることを特徴とする請求項１〜請求項３の何れか１つに記載の透明中空状球体内で回転動作するアクセサリー部材を用いた物品。
【請求項５】
透明中空状球体内で回転動作するアクセサリー部材をボールペンやシャープペンシルのような筆記具に取付けていることを特徴とする請求項１〜請求項３の何れか１つに記載の透明中空状球体内で回転動作するアクセサリー部材を用いた物品。
【請求項６】
請求項１〜請求項３の何れか１つに記載の透明中空状球体内で回転動作するアクセサリー部材の１個または複数個を、該透明中空状球体の外径よりも大きな内径とし、そのことによって該透明中空状球体が内部を自由に転がることができる透明プラスチック素材などによるチューブ内に封入していることを特徴とする透明中空状球体内で回転動作するアクセサリー部材を用いた物品。
【発明の詳細な説明】
【０００１】
【発明の属する技術分野】
本発明は、透明な中空状球体内で適切に回転運動する立体的アクセサリー部材とそれを用いた新規な各種物品を提供しようとするものである。
【０００２】
【従来の技術】
様々なアクセサリー類や玩具類については、その外観デザインに工夫を施すと共に適宜な可動部分を設けたりして美感性を高め需要者の趣味性を満足させるようなことが行われている。
【０００３】
すなわち、装飾性も加味されたキーホルダーや携帯電話用ストラップ、携帯玩具、装身具的アクセサリー、その他の物品において可動部分を設けてその形態変化などを楽しむような製品が多数市場に出回っている。
【０００４】
特に、可動形式として回転動作を採用するものは独楽玩具やそれを応用した各種物品が提案されている
【０００５】
【発明が解決しようとする課題】
しかし、上記従来技術のものは可動部分を設けるといっても曲げたり伸ばしたりといったどちらかと言えば静止的な変化のものが多く、継続的に動的変化をする場合でも単に振動によってゆらゆら揺れるという程度のものであった。すなわち、ある程度の時間回転運動を続けるような可動部分を備えたものについての提案は殆どなされていない。
【０００６】
また、継続的に回転運動を続けるものとしては独楽玩具があるが、これに回転動作を与えるにはその軸部分に対する明確な操作が必要であり、軸に対する特別な操作なしで明確な回転動作を実現するようなものは提案されていない。
【０００７】
【課題を解決するための手段】
本発明は、上記したような従来技術における課題を解消することについて、実験と検討を繰り返し行い創案されたものであって、透明素材で形成された中空状球体内に所定長さに規定された軸棒を有し、該軸棒を中心とした回転動作を行う場合に球体内壁面によって回転が阻害されないサイズに規定された立体的アクセサリー部材を封入し、該中空状球体に対して適宜な外力を作用させることで該立体的アクセサリー部材を回転動作させ得ることを見出したものであって、具体的には以下の如くである。
【０００８】
（１）透明なプラスチック樹脂などで形成した中空状球体内にその内部直径よりも短くされた軸棒を有し、該軸棒を中心とする回転動作しても球体内部に接触しない大きさに規制された立体的アクセサリー部材を該軸棒に取付けて、該軸棒の固定穴を形成していない中空状球体内に封入していることを特徴とする透明中空状球体内で回転動作するアクセサリー部材。
【０００９】
（２）  立体的アクセサリー部材を封入した透明中空状球体自体に軸棒を取付けて別の透明中空状球体内で回転動作する立体的アクセサリー部材としていることを特徴とする前記（１）項に記載の透明中空状球体内で回転動作するアクセサリー部材。
【００１０】
（３）  中空状球体が２分割されることで封入された立体的アクセサリー部材を取出すことができ、さらに中空状に形成した該立体的アクセサリー部材も２分割可能とすることで内部に他の物品を収容できるようにしたことを特徴とする前記（１）項または（２）項に記載の透明中空状球体内で回転動作するアクセサリー部材。
【００１２】
（５）  透明中空状球体内で回転動作するアクセサリー部材の１個または複数個を連結手段や鎖でつなぎ合わせることでキーホルダーや携帯電話用ストラップ、ネックレスなどの物品を構成させることを特徴とする前記（１）項〜（４）項の何れか１つに記載の透明中空状球体内で回転動作するアクセサリー部材を用いた物品。
【００１３】
（６）  透明中空状球体内で回転動作するアクセサリー部材をボールペンやシャープペンシルのような筆記具に取付けていることを特徴とする前記（１）項〜（４）項の何れか１つに記載の透明中空状球体内で回転動作するアクセサリー部材を用いた物品。
【００１４】
（７）  前記（１）項〜（４）項の何れか１つに記載の透明中空状球体内で回転動作するアクセサリー部材の１個または複数個を、該透明中空状球体の外径よりも大きな内径とし、そのことによって該透明中空状球体が内部を自由に転がることができる透明プラスチック素材などによるチューブ内に封入していることを特徴とする透明中空状球体内で回転動作するアクセサリー部材を用いた物品。
【００１５】
【作用】
透明なプラスチック樹脂などで形成した中空状球体内にその内部直径よりも短くされた軸棒を有し、該軸棒を中心とする回転動作しても球体内部に接触しない大きさに規制された立体的アクセサリー部材を該軸棒に取付けて封入していることで、中空状球体内部に軸棒を介して接している立体的アクセサリー部材が適当な外力を受けて多様な向きに傾いた状態で回転動作するようになる。
【００１６】
立体的アクセサリー部材を封入した透明中空状球体自体に軸棒を取付けて別の透明中空状球体内で回転動作する立体的アクセサリー部材としていることで、２層以上の構成で回転動作する立体的アクセサリー部材を封入した透明中空状球体によるアクセサリー部材を形成することが可能となる。
【００１７】
中空状球体が２分割されることで封入された立体的アクセサリー部材を取出すことができ、さらに中空状に形成した該立体的アクセサリー部材も２分割可能とすることで内部に他の物品を収容できるようにしたことで、立体的アクセサリー部材内にお菓子などのおまけ物品を収容した製品を実現することができる。
【００１８】
透明中空状球体内に封入されている立体的アクセサリー部材にＬＥＤと電池及び振動接触型スイッチを組込んで球体内で立体的アクセサリー部材が回転動作するとＬＥＤが発光・点滅し外部から観察できるようにしたことで、立体的アクセサリー部材の回転動作に付随してＬＥＤが発光・点滅して従来にない美感・趣味性を満足する製品を提供することが可能となる。
【００１９】
透明中空状球体内で回転動作するアクセサリー部材の１個または複数個を連結手段や鎖でつなぎ合わせることでキーホルダーや携帯電話用ストラップ、ネックレスなどの物品を構成させることで、本発明品を応用した多様な物品を製作することが可能となる。
【００２０】
透明中空状球体内で回転動作するアクセサリー部材の１個または複数個を、該透明中空状球体の外径よりも大きな内径とし、そのことによって該透明中空状球体が内部を自由に転がることができる透明プラスチック素材などによるチューブ内に封入していることで、チューブ内に透明中空状球体を転がしてそれにより内部の立体的アクセサリー部材も回転動作するような複合的変化に富んだ新たな製品を提供することが可能となる。
【００２１】
【発明の実施の形態】
上記した本発明の具体的な実施形態の若干例を添付図面に示すところに従って説明すると以下の如くである。
すなわち、図１は本発明製品の基本的形態の１例を示したものである。ここで、透明なプラスチック樹脂などで形成した中空状球体１の少なくとも内側形状は真球形状とされ、立体的アクセサリー部材２は軸棒３に取付けられている。ここで軸棒３の長さは両端部３ａ、３ｂ間の距離であり、中空状球体１の内側直径より短いものとされるが、できる限り大きな立体的アクセサリー部材２を採用するためには上記内側直径よりも若干短い程度のものとすべきである。また、立体的アクセサリー部材２の形状としては立体的キャラクター形状を採用することも可能である。
【００２２】
立体的アクセサリー部材２の大きさはこれが軸棒３によって中空状球体１内に保持され回転動作しても中空状球体１内部に接触してその回転動作が阻害されることがないように規制される。すなわち、軸棒３から中空状球体１内側への近い方の距離を超えて立体的アクセサリー部材２が張り出すことがないように規制することでこれが回転動作しても接触等しないようにするものである。
【００２３】
したがって、どのように移動・回転等しても立体的アクセサリー部材２自体は中空状球体１の内側に接触することはなく、軸棒３の両端部３ａ、３ｂのみが中空状球体１の内側に接触して立体的アクセサリー部材２を保持することになる。ここで立体的アクセサリー部材２の回転動作をより滑らかに実現するためには軸棒３の両端部３ａ、３ｂの接触部分をより小さくするためにその先端を尖らせる等するべきである。
【００２４】
上記したような立体的アクセサリー部材２は、それが封入されている透明中空状球体１を適当に揺らしたり回転させたりして動作させ、また、それら動作を急激に停止させるなどすると、加えられた外力に応じて透明中空状球体１内をランダムに動き軸棒３の両端部３ａ、３ｂによって保持されようとする状態が若干バランスを欠いていたり外力からの慣性力が残っていると該軸棒３を中心として適当な回転運動を行うものである。このような回転運動は軸棒３を中心とするので独楽と同様の運動であると理解できるが、独楽のように直接的に軸に対して回転運動を与えるわけではなく、透明中空状球体１に対する適当な外力によって実現するものであり、軸棒３の位置関係なども透明中空状球体１内の適宜な箇所にランダムに保持されて回転動作することになり、意外性に富んだものとなる。
【００２５】
図２は、本発明による透明中空状球体１内で回転動作するアクセサリー部材４について、立体的アクセサリー部材２を封入した透明中空状球体１自体が更に軸棒３を備えつけられた立体的アクセサリー部材２として透明中空状球体１内に封入されている２重構造の場合について示している。
【００２６】
すなわち、このような構造によれば回転動作するアクセサリー部材４自体が更に透明中空状球体１内に封入された立体的アクセサリー部材２として回転動作することになり、多重的で複合した回転動作を実現することが可能となるものである。また、図示のものは２重構造であるが３重構造やそれ以上の多重構造として実施しても構わない。
【００２７】
図３は、透明中空状球体１が嵌め込み部５によって２分割可能な構造とされることで封入された立体的アクセサリー部材２が任意に取出し可能なものとされ、さらに該立体的アクセサリー部材２自身も嵌め込み構造で２分割される中空状容器６として形成されており、該中空状容器６内におまけ的にお菓子や小玩具などの物品を収容させる例について示したものである。
【００２８】
このような構成とすることで本発明品はおまけ物品を収容したものとして製品化することが可能となり、また、任意に取出し可能とされた立体的アクセサリー部材２を適宜に取り替えて遊ぶようなことが可能となる。
【００２９】
また、２分割される透明中空状球体１は、キャラクター玩具などを収容して自動販売機により販売するカプセルとして使用するものとしてもよく、この場合には購入後のカプセルが不要なものとして安易に廃棄されることを阻止する新たな形態のカプセル玩具などが展開できるものである。さらに、図３においては、下記する発光・点滅素材であるＬＥＤを採用した場合の立体的アクセサリー部材２の発光・点滅状態も併せて示している（すなわち、（ａ）は電源オン状態、（ｂ）〜（ｄ）は電源オフ状態である）。
【００３０】
つまり、上記にもあるように、近時は小型の電源となる各種電池や発光・点滅する様々なＬＥＤ、更に外力による振動などを検知してオン・オフ操作を行うことができる振動接触型スイッチなどが広く普及し多種・多様な製品に応用されている。このようなＬＥＤや電源としての電池、振動接触型スイッチを適宜に組合わせて本発明の立体的アクセサリー部材２に組込むものとすれば、その振動や回転動作に付随して様々に発光・点滅等を行うイルミネーション的なアクセサリー部材が実現されることになり、本発明品の需要者が有する美感や趣味性をより満足させる製品となすことができる。
【００３１】
図４は、本発明によるアクセサリー部材４を応用的に用いた物品として、上記してきたアクセサリー部材４を１個または複数個組合わせ、連結手段７や鎖８でつなぎ合わせることでキーホルダー９やネックレス１０となす場合について示したものである。本発明のアクセサリー部材４はこのように多様な物品について応用可能であり、図示以外にも携帯電話などのストラップ部材と組合わせたアクセサリーなどとすることができる。
【００３２】
図５は、本発明のアクセサリー部材４をボールペンやシャープペンシルのような筆記用具１１の上端部に取付ける場合について示している。
筆記部を出没操作するタイプの筆記用具１１に取付ける場合には、アクセサリー部材４自体をその出没操作部１２として使用するものとしてもよく、また、クリップ部１２ａの如きをその出没操作部１２としている場合であってもその出没操作の動作に合わせてアクセサリー部材４部分が上下動作や回転動作するように構成し、これによって封入されている立体的アクセサリー部材２が適当な回転動作を行うようにしてもよい。
【００３３】
上記のようにクリップ部の如き操作部１２ａにより出没操作する場合に本発明のアクセサリー部材４を上下・回転動作させる場合の構成の１例は図６に示すようにして実現することが可能である。
すなわち、操作部１２ａと連結されているシャフト１３の先端に本発明のアクセサリー部材４を取付け、該シャフト１３の外周にはスパイラル状凸部１４が形成され、筆記筒１５上端のカバー材１６に形成された開口部１７の縁溝１８がスパイラル状凸部１４のガイド部として作用することで出没操作に伴ってシャフト１３が上下動すると共に回転動作もするものである。
【００３４】
図７は、本発明のアクセサリー部材４を透明なプラスチック素材などによるチューブ１９内に封入し、該チューブ１９内を自由に転がしてやることで立体的アクセサリー部材２に外力を与えて適当な回転動作を楽しませる場合についてその１例を示しているものである。つまり、チューブ１９の内径は透明中空状球体１の外径よりも大きなものとされているので該透明中空状球体１は内部を自由に転がることができるのであるが、チューブ内を滑らかに転がしてやるにはチューブ１９の内径が透明中空状球体１の外径より大きくなり過ぎないようにすべきである。
【００３５】
また、図示においては本発明のアクセサリー部材４（透明中空状球体１）を１個だけチューブ１９内に封入している場合について表しているが、複数個を同時に封入するものとしても構わない。さらに、チューブ１９の形状として図示ではリング状に形成するものとして表しているが、封入した透明中空状球体１の滑らかな転がりが実現すればこのような形状に限定される必要はなく、直線状のものや波打たせた形状のものであっても構わない。
【００３６】
さらに、上記してきた本発明のアクセサリー部材４の他物品への応用の際には、当然に上記したＬＥＤなどの発光・点滅部材との組合わせとなしてよく、このようにすることで応用各物品においてもＬＥＤの発光・点滅によるイルミネーション的な美感向上を実現させることができるものである。
【００３７】
【発明の効果】
以上説明したような本発明によるならば、透明中空状球体内で適当な振動や回転などの外力によって回転動作する立体的アクセサリー部材を実現し、従来にないアクセサリー部材を提案すると共に種々の構成や多様な物品への応用によって広汎な商品展開を図ることができると同時に需要者に対しては意外性ある動きが観察し得る美感性に優れた製品として提示できるものであり、新たな需要を喚起するものとして工業的にその価値が高い発明であると理解される。
【図面の簡単な説明】
【図１】本発明のアクセサリー部材の基本的形態を示した図面である。
【図２】回転する立体的アクセサリー部材が２重構造とされた場合の本発明品の１形態を示した図面である。
【図３】透明中空状球体を２分割可能なものとすると共に内部の立体的アクセサリー部材自体も２分割できる中空状容器としておまけ的物品を収容する場合について説明した図面である。
【図４】本発明のアクセサリー部材を１個または複数個組合わせてキーホルダーやネックレスを形成する場合について示した図面である。
【図５】ボールペンやシャープペンシルのような筆記具上端部に本発明のアクセサリー部材を取付ける場合に１例について示した図面である。
【図６】出没操作部の操作に付随して筆記具上端に取付けた本発明のアクセサリー部材が上下・回転動作するための構成についてその１例を示した図面である。
【図７】リング状に形成したチューブ内に本発明の透明中空状球体を入れる場合について示した図面である。
【符号の説明】
１  透明中空状球体
２  立体的アクセサリー部材
３  軸棒
３ａ  軸棒端部
３ｂ  軸棒端部
４  アクセサリー部材
５  嵌め込み部
６  中空状容器
７  連結手段
８  鎖
９  キーホルダー
１０  ネックレス
１１  筆記用具
１２  出没操作部
１２ａ  クリップ部（出没操作部）
１３  シャフト
１４  スパイラル状凸部
１５  筆記筒
１６  カバー材
１７  開口部
１８  縁溝
１９  透明素材によるチューブ
【図１】
0004162918.tif 000002
【図２】
0004162918.tif 000003
【図３】
0004162918.tif 000004
【図４】
0004162918.tif 000005
【図５】
0004162918.tif 000006
【図６】
0004162918.tif 000007
【図７】
0004162918.tif 000008